(57)【要約】【課題】調理皿に備える脚部開閉時に１箇所でクリック感を与えてしっかり固定して使い勝手が良くなる。【解決手段】被加熱物１５を加熱する加熱室２８と、被加熱物１５を載置して加熱室２８に入れて被加熱物１５を調理する調理皿１６とを備えた加熱調理器において、調理皿１６には、被加熱物１５を載置する皿部３４と、皿部３４の両側に脚部３７を回動可能に保持する二箇所の軸受け部３６ｗと軸受け部３６ｗの間に凹み部を有した突起３６ａを設けた支持具３６と、支持具３６の前記軸受け部３６ｗで保持されて回転する回動軸部３７ａと回動軸部３７ａを支点として回動した時に該支点に対して円弧を描き突起３６ａの凹み部に嵌合する係止部３７ｃを有する脚部３７とを備えたものである。【選択図】  図１３
2015158316.tif 000002
【特許請求の範囲】
【請求項１】
被加熱物を加熱する加熱室と、
前記被加熱物を載置して前記加熱室に入れて前記被加熱物を調理する調理皿と、
を備えた加熱調理器において、
前記調理皿には、
前記被加熱物を載置する皿部と、
該皿部の両側に脚部を回動可能に保持する二箇所の軸受け部と該軸受け部の間に凹み部を有した突起を設けた支持具と、
該支持具の前記軸受け部で保持されて回転する回動軸部と該回動軸部を支点として回動した時に該支点に対して円弧を描き前記突起の凹み部に嵌合する係止部を設けた脚部と、
を備えたことを特徴とする加熱調理器。
【請求項２】
前記突起の凹み部には、前記脚部を閉成した状態を保持するための閉時嵌合凹み部と、前記脚部を開成した状態を保持するための開時嵌合凹み部とを備えたことを特徴とする請求項１記載の加熱調理器。
【発明の詳細な説明】
【技術分野】
【０００１】
本発明は、食品加熱時に使用する調理皿を有した加熱調理器に関する。
【背景技術】
【０００２】
従来からこの種の加熱調理器においては、加熱室内で調理物を載置する付属品が種々提案されている。
【０００３】
例えば、特許文献１には、食品を載置する角皿に金属の丸棒を曲げて１本の両側に端部を備えた形状の開閉自在の脚部と脚取付部品を備え、脚取付部品の脚部の開閉する経路に凸状の突起を設けることで、脚部の開成状態と閉成状態を保持し、脚部を開閉するときは、脚部の端部両端の広がりと狭まる撓みを利用して、この凸状の突起を乗り越えるように構成された加熱調理機が開示されている。
【先行技術文献】
【特許文献】
【０００４】
【特許文献１】特開２０１１−４７５２３号公報
【発明の概要】
【発明が解決しようとする課題】
【０００５】
特許文献１に示された加熱調理器においては、１本の金属棒の両端部を脚部の支点として開閉できるように曲げて設けられた脚部のため、支点側の脚部の両端端部の広がろうとする力も弱く、また開閉する経路に設けられた凸状の突起を乗越えるときの撓み力も弱いため、弱い力で脚部の開閉が可能となっている。
【０００６】
そのため、凸状の突起を乗越える時のクリック感が弱く感じられ、また角皿を動かしたときに閉成した脚部が揺れて不安定に見えるという問題がある。
【課題を解決するための手段】
【０００７】
本発明は上記の欠点を解決するためになされたものであり、請求項１では、被加熱物を加熱する加熱室と、前記被加熱物を載置して前記加熱室に入れて前記被加熱物を調理する調理皿とを備えた加熱調理器において、前記調理皿には、前記被加熱物を載置する皿部と、該皿部の両側に脚部を回動可能に保持する二箇所の軸受け部と該軸受け部の間に凹み部を有した突起を設けた支持具と、該支持具の前記軸受け部で保持されて回転する回動軸部と該回動軸部を支点として回動した時に該支点に対して円弧を描き前記突起の凹み部に嵌合する係止部を設けた脚部とを備えた。
【発明の効果】
【０００８】
本発明によれば、調理皿に回動自在に脚部を設け、脚部の開閉操作時に１箇所でクリック感を与えてしっかり固定して使い勝手が良くなる。
【図面の簡単な説明】
【０００９】
【図１】一実施例の加熱調理器本体を前面側から見た斜視図。
【図２】図１のＡ−Ａ断面図。
【図３】一実施例の加熱調理器の調理皿の脚部を開いた状態の斜視図。
【図４】一実施例の加熱調理器の調理皿の脚部を開いた状態の脚部を開いた状態の裏面から見た斜視図。
【図５】図３のＣ−Ｃ断面図。
【図６】一実施例の加熱調理器の調理皿の脚部を閉じた状態の支持具の斜視図。
【図７】一実施例の加熱調理器の調理皿の脚部の斜視図。
【図８】図７のＱ矢視上面図。
【図９】一実施例の加熱調理器の支持具の斜視図。
【図１０】図９のＲ矢視の（ａ）上面図、（ｂ）は図１０（ａ）のＤ−Ｄ断面図。
【図１１】一実施例の加熱調理器の支持具に脚部を組み立てる状態の（ａ）上面図、（ｂ）は図１１（ａ）のＥ−Ｅ断面図。
【図１２】一実施例の加熱調理器の支持具に脚部を組み立てる状態の（ａ）上面図、（ｂ）は図１２（ａ）のＪ−Ｊ断面図。
【図１３】一実施例の加熱調理器の支持具に脚部を閉じた状態の（ａ）上面図、（ｂ）は図１３（ａ）のＦ−Ｆ断面図。
【図１４】一実施例の加熱調理器の支持具に脚部を開いた状態の（ａ）上面図、（ｂ）は図１４（ａ）のＧ−Ｇ断面図。
【図１５】一実施例の加熱調理器の支持具に脚部を保持する説明図（ａ２はａ１のＫ部の断面図、ｂ２はｂ１のＬ部の断面図）。
【図１６】一実施例の加熱調理器の加熱室（図１のＢ−Ｂ断面図）に調理皿の脚部を開いて載置した説明図。
【発明を実施するための形態】
【００１０】
以下、ヒータとマグネトロンを加熱手段として備えた電気式オーブンレンジを例に、本発明の一実施例の加熱調理器を、図１〜１６を用いて説明する。
【００１１】
図１、図２に示すように、加熱調理器の本体１は加熱する食品を入れる加熱室２８を備えており、加熱室２８に入れた食品はマグネトロン３３から発生するマイクロ波やヒータの熱によって加熱調理される。
【００１２】
ドア２は、加熱室２８に食品を出し入れするときに開閉するもので、ドア２を閉めることで加熱室２８を密閉状態にし、食品を加熱する時に使用する高周波の漏洩を防止し、ヒータの熱を封じ込め、効率良く加熱することを可能とする。取っ手９は、ドア２に取り付けられ、ドア２の開閉を容易にするもので、手で握りやすい形状になっている。ガラス窓３は、調理中の食品の状態が確認できるようにドア２に取り付けられ、ヒータ等の発熱による高温に耐えるガラスを使用している。
【００１３】
表示部５と操作部６は、ドア２の前面下側の操作パネル４に設けられ、操作部６には、高周波加熱を設定するマイクロ波加熱設定キー６ａ、グリル加熱やオーブン加熱を選択できるヒータ加熱設定キー６ｂ、高周波出力の加熱強さと加熱時間等を入力するための設定ダイヤル６ｄ、加熱を開始するスタートキー６ｃが設けられ、表示部５には、操作部６から入力された内容や調理の進行状態を表示するようになっている。
【００１４】
外枠７は、加熱調理器の本体１の上面と左右側面を覆うキャビネットである。後板１０は、外枠７の後面を形成するもので、その上部には外部排気ダクト１８が取り付けられ、食品から排出した蒸気や本体１の内部の部品を冷却した後の冷却風を排出する。外部排気ダクト１８は、排気の排出方向は本体１の上部方向で且つ前面側に排気することで、背面を壁面に寄せた時でも排気によって壁面を汚すことがない。
【００１５】
機械室２０は、加熱室底面２８ａと本体１の底板２１との間の空間部に設けられ、底板２１上には食品を加熱するためのマグネトロン３３、マグネトロン３３に接続された導波管４７、マグネトロン３３に電源を供給するインバータ基板２２、加熱手段や加熱時間などを制御する制御手段（図示無し）が組み込まれている。
【００１６】
加熱室底面２８ａは、略中央部が凹状に窪んでおり、その中に回転アンテナ２６が設置され、マグネトロン３３より放射されるマイクロ波は、導波管４７，回転アンテナ駆動手段４６の出力軸４６ａが貫通する開孔部４７ａを通して回転アンテナ２６の下面に流入し、該回転アンテナ２６で拡散されて加熱室２８に放射される。回転アンテナ２６は回転アンテナ駆動手段４６の出力軸４６ａに連結されている。
【００１７】
加熱室２８の後部には、熱風ユニット１１が取り付けられ、該熱風ユニット１１内には加熱室２８内の空気を効率良く循環させる熱風ファン３２が取り付けられ、加熱室奥壁面２８ｂには空気の通り道となる吸気孔３１と吹出し孔３０が設けられている。
【００１８】
熱風ファン３２は、熱風ケース１１ａの外側に取り付けられた熱風モータ１３の駆動により回転し、熱風ヒータ１４で循環する空気を加熱する。
【００１９】
加熱室２８の天面の裏側には、上ヒータ１２が取り付けられている。上ヒータ１２は、マイカ板にヒータ線を巻き付けて平面状に形成し、加熱室２８の天面裏側に押し付けて固定し、加熱室２８の天面を加熱して加熱室２８内の食品を輻射熱によって焼くものである。
【００２０】
さらに、加熱室底面２８ａには、複数個の重量検出手段２５が設けられている。例えば前側左右に右側重量センサ２５ａと左側重量センサ２５ｂ、後側中央に奥側重量センサ２５ｃが設けられ、その重量検出手段２５にはテーブルプレート２４が載置されている。食品の重量は、各重量検出手段２５の検出した食品重量の合計で求められる。
【００２１】
テーブルプレート２４は、後述する調理皿１６（図３）や食品を載置するためのもので、ヒータ加熱とマイクロ波加熱の両方に使用できるように耐熱性を有し、かつ、マイクロ波の透過性が良い磁器等の材料で成形されている。
【００２２】
図３に示す１６は後述する調理皿である。調理皿１６は、テーブルプレート２４に載置した時、加熱室壁面２８ｃ（図２）との間に加熱室底面２８ａ側から供給されるマイクロ波を調理皿１６の上方に供給できる隙間を確保できる大きさとしている。
【００２３】
次に図３から図５を用いて調理皿１６を詳細に説明する。調理皿１６は、アルミ等の熱伝導性の高い金属板の表面を凹凸加工した皿部３４の裏面に、後述する発熱体３５を密着し、皿部３４の左右に金属製の丸棒を曲げ加工してひとつのループ状にした脚部３７を支持具３６によって回動可能に取り付けたものである。
【００２４】
発熱体３５は、マイクロ波を吸収して発熱する物体であり、本実施例では、図４や図５に示すように、シリコンにフェライト粉末を混合した素材を、皿部３４の形状に合わせて加工したものを皿部３４の裏面に密着して貼り付けている。
【００２５】
調理皿１６は全て耐熱性の高い材料で構成されているため、オーブンやグリルなど、加熱室２８内が高温になる電熱ヒータを利用した加熱調理に利用することも可能である。
【００２６】
次に、図７、図８を用いて、脚部３７を詳細に説明する。脚部３７は、弾性のあるバネ材からなる１本の金属製の丸棒を曲げて、丸棒の両端部同士を溶接などにより接続してループ状に形成したものである。３７ｂは前後２ヶ所に設け、テーブルプレート２４などに載置する接地部で、前後２箇所の接地部３７ｂの間に繋ぎ部３７ｄを備えている。接地部３７ｂの上部には縦方向の力を支える支え部３７ｅを備えている。また脚部３７は繋ぎ部３７ｄを設けない略コの字形状でも良い。
【００２７】
また、支え部３７ｅの上部には前後する同軸上に２箇所の回動軸部３７ａを備え、後述する支持具３６の軸受け部３６ｗに回動可能に保持される。また、この２箇所の回動軸部３７ａの内側には、回動軸部３７ａから屈曲してつながる連結部３７ｆと、連結部３７ｆ間を繋がる係止部３７ｃを備えている。
【００２８】
この係止部３７ｃは、回動軸部３７ａから屈曲してつながる連結部３７ｆと合わせて回動軸部３７ａに対して門形の形状を形成し、この略門の高さは回動軸部３７ａに対して係止部３７ｃの高さＨ、また門の傾きは支え部３７ｅに対して約９８度の傾きを設けている。この傾きによって、後述する支持具３６の回動可能に支持し、脚部３７を開成したときに、脚部３７がハの字状に開いて調理皿１６を安定良く支える。また係止部３７ｃは、回動軸部３７ａに対して高さＨの門形とすることで、回動軸部３７ａの回転軸部からＨだけ離れて円弧を描くように回転動作する。
【００２９】
次に、図６、図９、図１０、図１５を用いて、支持具３６を説明する。支持具３６は、導電性が無く耐熱性の高いＰＰＳ等の樹脂で構成して、前述した脚部３７を保持して皿部３４に固定されるもので、略長方形の底部３６ｄの長辺と両短辺の３方を取り囲んで立ち上げる枠部３６ｂを備える。また、底部３６ｄの前後で略対称の位置に皿部３４とネジで固定するためのネジボス３６ｃを備える。さらに、底部３６ｄの前後２箇所に略対称の位置で底部３６ｄの一辺から切欠いた切欠部３６ｅを備え、脚部３７の支え部３７ｅが行き来するものである。
【００３０】
支持具３６には、二箇所に設けた一対の切欠部３６ｅが設けられ、一方の切欠部３６ｅ側から他方の切欠部３６ｅ側に向かって、脚部３７の回動軸部３７ａを保持するコの字状の開口部３６ｒ１を要する押さえ部Ａ３６ｒと、該押さえ部Ａ３６ｒから更に中央寄りに間隔をあけて押付け突起Ａ３６ｓを設けている。また他方の切欠部３６ｅから内側方向に向かって押付け突起Ｂ３６ｔと、該押付け突起Ｂ３６ｔから更に中央寄りに間隔をあけて前記と同様の開口部（図示無し）を要した押さえ部Ｂ３６ｆを設けている。そして、各開口部は押付け突起Ａ３６ｓ、押付け突起Ｂ３６ｔ側に向いて設けられている。また、押付け突起Ａ３６ｓ、押付け突起Ｂ３６ｔは底部３６ｄからの高さは突起高さＭで抑えられ、突起高さＭは、図７に示す脚部３７の曲がり高さＨより低く設けている。また押付け突起Ａ３６ｓの角部には傾斜部３６ｓ１を設けている。
【００３１】
そして、押さえ部Ａ３６ｒと押付け突起Ａ３６ｓで回動軸部３７ａを回動自在に支持する軸受け部Ａ３６ｕを形成し、押さえ部Ｂ３６ｆと押付け突起Ｂ３６ｔで回動軸部３７ａを回動自在に支持する軸受け部Ｂ３６ｖを形成し、支持具３６には、軸受け部Ａ３６ｕと軸受け部Ｂ３６ｖとで一組の軸受け部３６ｗを備えるものである。
【００３２】
また、脚部３７を回動可能に支持する軸受け部３６ｗと、軸受け部３６ｗを支点として回動する脚部３７の係止部３７ｃは円弧を描く回動軌跡となるので、脚部３７の係止部３７ｃを保持して脚部３７の回動を固定する突起３６ａは前記回動軌跡と略同形状で設けられ、突起３６ａは軸受け部３６ｗの間の略中央部にかまぼこ状に形成され設けられている。
【００３３】
突起３６ａには、最上部は枠部３６ａに繋がって凹む形状の組立時通過凹み部３６ｐを設け、組立時通過凹み部３６ｐは脚部３７の係止部３７ｃの丸棒の外径Ｒ形状に適した凹みを形成している。また、組立時通過凹み部３６ｐの枠部３６ｂの反対側に隣接して、壁状に形成した組立時乗越部３６ｍを設け、次に、閉時嵌合凹み部３６ｋを突起部３６ａのかまぼこ状の上部に設け、次に、突起３６ａのかまぼこ状のＲ状の斜面を形成した開閉時乗越部３６ｈと、開閉時乗越部３６ｈの下側には底部３６ｄに繋がった開時嵌合凹み部３６ｇを設けている。前述した各凹み形状は、脚部３７の係止部３７ｃの外形形状に適した凹みを形成して嵌合するもので、本実施例では脚部３７の係止部３７ｃの丸棒の外径Ｒ形状に適した形状としている。
【００３４】
次に、図１１から図１５を用いて、支持具３６と脚部３７の組み立て動作と回動動作について説明する。図１５は、支持具３６と脚部３７の一端側を図示したもので、（ａ１）は図１１の拡大図、（ａ２）は（ａ１）のＫ部の断面図、（ｂ１）は図１２の拡大図、（ｂ２）は（ｂ１）のＬ部の断面図である。
【００３５】
組み立ては、図１１に示すように支持具３６の上から底部３６ｄに対して脚部３７を略並行に、かつ、図１５（ａ１）に示すように支持具３６の一方側の軸受け部Ａ３６ｕである押さえ部Ａ３６ｒと押付け突起Ａ３６ｓとの間に脚部３７の連結部３７ｆの位置を合わせ、他方の軸受け部Ｂ３６ｖである押さえ部Ｂ３６ｆと押付け突起Ｂ３６ｔとの間に脚部３７の支え部３７ｅの位置を合わせて落とし込む（寸法的に一方を合わせることで他方は自然に前述した位置関係に収まる）。この落とし込み時に、一方の押付け突起Ａ３６ｓの突起高さＭは脚部３７の曲がり高さＨより低く設けているため押付け突起Ａ３６ｓは係止部３７ｃの下側に潜りこんだ位置関係となり、他方の押付け突起Ｂ３６ｔは回動軸部３７ａより外側に位置して当たらないため、支持具３６に脚部３７を装着できる。
【００３６】
次に、この状態から、図１１（ａ）のＹ矢印方向へ脚部３７を移動すると、支持具３６と脚部３７との位置関係は図１２（ａ）、図１５（ｂ１）（ｂ２）の様になる。具体的には、脚部３７のＹ矢印方向へ移動すると、脚部３７の回動軸部３７ａは、押付け突起Ａ３６ｓと押付け突起Ｂ３６ｔによって該突起と対抗した向きに開口部を設けた押さえ部Ａ３６ｒと押さえ部Ｂ３６ｆの開口部側に押される。同軸上にある二箇所の回動軸部３７ａは押さえ部Ａ３６ｒと押さえ部Ｂ３６ｆの開口部に挿入さ、脚部３７の一方の回動軸部３７ａは押さえ部Ａ３６ｒの開口部３６ｒ１と押付け突起Ａ３６ｓで挟まれ、他方の回動軸部３７ａは同様に押さえ部Ｂ３６ｆの開口部と押付け突起Ｂ３６ｔで挟まれて回転自在に保持される。
【００３７】
また同時に、押付け突起Ａ３６ｓと押付け突起Ｂ３６ｔによって回動軸部３７ａが押さえ部Ａ３６ｒと押さえ部Ｂ３６ｆの開口部に挿入されると、脚部３７の係止部３７ｃが突起３６ａの組立時通過凹み部３６ｐに係止されているので、脚部３７の接地部３７ｂが図１１（ｂ）の閉方向（Ｚ矢印方向）へ回転する。そして、一体となった脚部３７と支持具２６は、その後の組み立て時に取り扱い易くなる。
【００３８】
さらに、押付け突起Ａ３６ｓには、脚部３７の連結部３７ｆが乗越え易くするために、傾いた係支部３７ｃと略同じ角度の端部３６ｓ１を設けている。
【００３９】
この状態では脚部３７は、図１２（ｂ）に示すように、脚部３７の接地部３７ｂは、支持具３６の底部３６ｄよりも上方に跳ね上げた状態にある。次に、支持具３６を皿部３４に取り付けるために、脚部３７の回動軸部３７ａを軸中心として開方向（Ｓ矢印方向）に回転させ、支持具３６の底部３６ｄよりも下方に移動する。この時、組立時通過凹み部３６ｐに嵌合していた係止部３７ｃを軸方向と直角に移動させて組立時乗越部３６ｍを乗り越えて閉時嵌合凹み部３６ｋに嵌合する。この閉時嵌合凹み部３６ｋに嵌合した状態が図１３になる。この組み立て時において、まず組立時通過凹み部３６ｐに嵌合し、組立時乗越部３６ｍを乗り越えて閉時嵌合凹み部３６ｋに嵌合することにより、クリック感を与えてしっかり固定したことが確認できるものである。
【００４０】
また、皿部３４に支持具３６と脚部３７を組み立てた後では、脚部３７の接地部３７ｂは皿部３４があるため、図１３の状態から図１１の位置に移動できなくなる。そのため脚部３７は使用時に外れることがない。
【００４１】
図１３において脚部３７が閉成時の状態を説明する。前記のように係止部３７ｃは閉時嵌合凹み部３６ｋに嵌合する。そして、脚部３７の接地部３７ｂは、支持具３６の底部３６ｄよりも下方に位置して固定される。この状態において閉時嵌合凹み部３６ｋに嵌合することにより、クリック感を与えてしっかり固定したことが確認できるものである。
【００４２】
そして、図１３、図１４において、脚部３７が閉成時から開成時に移動する状態を説明する。前記のように、脚部３７が閉成時には、係止部３７ｃは閉時嵌合凹み部３６ｋに嵌合している。脚部３７を外へ開くように開方向（Ｖ矢印方向）へ回転することによって、支持具３６の切欠部３６ｅから支え部３７ｅを行き来させて、脚部３７の接地部３７ｂが底部３６ｄの下方へ回転する。その際に、係止部３７ｃは、開閉時乗越部３６ｈのＲ面に沿って軸方向と垂直に移動して下方へ回転移動する。そして、開閉時乗越部３６ｈの下部に設けた開時嵌合凹み部３６ｇに嵌合するものである。このときに、クリック感を与えてしっかり固定するものである。
【００４３】
また、逆に、開成時から閉成時には、図１４から図１３の状態になるもので、開時嵌合凹み部３６ｇに嵌合する係止部３７ｃが回動軸部３７ａを軸中心として閉成方向（Ｗ矢印方向）へ回転することにより、開閉時乗越部３６ｈのＲ面に沿って軸方向と垂直に回転移動して上方へ移動することで閉時嵌合凹み部３６ｋに嵌合するものである。このときに、クリック感を与えてしっかり固定するものである。
【００４４】
本実施例は、以上の構成からなり、次に動作について図１６を用いハンバーグの焼き上げを例に説明する。
【００４５】
調理は、グリル加熱とマイクロ波加熱を使用して、被加熱物１５の両面に焦げ目を付け、同時に内部も加熱しながら焼き上げるものである。
【００４６】
被加熱物１５のハンバーグの両表面に焦げ目を付けるため、調理皿１６を上ヒータ１２に近づけるように脚部３７を開いて接地部３７ｂをテーブルプレート２４に載置する。
【００４７】
加熱時間の設定は、手動でも可能であるが、重量センサ２５を使用して、テーブルプレート２４に載置している調理皿１６の重量を風袋引きすることで、被加熱物１５の正味重量を検出し、被加熱物１５の重量に応じて加熱時間を設定することも可能である。
【００４８】
調理を開始すると、グリル加熱は、上ヒータ１２に通電を開始し、加熱室２８の天面を加熱して直接被加熱物１５の上面側の表面に焦げ目を付けながら被加熱物１５の内部まで加熱する。
【００４９】
また、マイクロ波加熱は、マグネトロン３３より放射されたマイクロ波は、導波管４７を通り加熱室底面２８ａに設けられた回転アンテナ駆動手段４６の出力軸４６ａが貫通する開孔部４７ａを通って回転アンテナ２６の下面に流入し、該回転アンテナ２６で拡散されて加熱室２８内に放射される。放射されたマイクロ波は、調理皿１６の裏面に貼り付けられた発熱体３５に吸収されることで発熱体３５が発熱し、皿部３４に接触している被加熱物１５の表面に焼きながら焦げ目を付ける。また、調理皿１６と加熱室壁面２８ｃとの間に設けられている隙間を通過して、調理皿１６に載置した被加熱物１５に吸収されることで被加熱物１５の内部からも加熱する。
【００５０】
調理は、調理皿１６の表面を形成している波状の凹凸加工の凹部によって、被加熱物１５の内部に含まれる余分な水分や脂分を排出しながらおいしく焼き上げる。
【００５１】
脚部３７は、２ヶ所の回動軸部３７ａを軸受け部３６ｗによって回動自在に支持され、２ヶ所の回動軸部３７ａの間に、係止部３７ｃの回動軌跡と同形状となる突起３６ａを設けることで、係止部３７ｃの突起３６ａへ掛かる張力は、係止部３７ｃの両端の軸受け部３６ｗによって保持されているため、脚部３７を開成時の開時嵌合凹み部３６ｇでの保持力、閉成時の閉時嵌合凹み部３６ｋでの保持力、また開閉時のクリック感は常に安定した動作が得られる。
【００５２】
以上説明したように、本実施例によれば、被加熱物１５を収納する加熱室２８と、加熱室２８の底面に載置されたテーブルプレート２４と、を備えた加熱調理器において、被加熱物１５を載置する調理皿１６を設け、調理皿１６の左右の裏側に金属の丸棒をひとつのループ状にして調理皿１６を支え一組の回動軸部３７ａを備え回動軸部３７ａの間に連結部３７ｆで門形に設けた係止部３７ｃを備える脚部３７と、脚部３７の回動軸部３７ａを回動自在に保持する一組の軸受け部３６ｗを設け軸受け部３６ｗの間に係止部３７ｃが回動して脚部３７にクリック感を与える突起３６ａを備えた支持具３６とを設け、調理皿１６は脚部３７を開いてテーブルプレート２４に載置するので、調理皿１６に回動自在に脚部３７を設け、脚部３７の開閉操作時に１箇所でクリック感を与えてしっかり固定することができ、使い勝手が良くすることができる。
【００５３】
また、支持具３６の突起３６ａは、支持具３６の底部３６ａと底部３６ａの周囲に設ける枠部３６ｂに繋がって設け、枠部３６ｂ側から順に組立時通過凹み部３６ｐ、組立時乗越部３６ｍ、閉時嵌合凹み部３６ｋを備え、支持具３６に脚部３７を組み立てるときに、脚部３７が摺動して回動軸部３７ａを軸受け部３６ｗに挿入すると、回動軸部３７ａは軸受け部３６ｗに嵌合し、脚部３７が閉方向に回転して、係止部３７ｃを組立時通過凹み部３６ｐに嵌合し、さらに、脚部３７を開方向に回動すると係止部３７ｃが組立時乗越部３６ｍを乗り越えて閉時嵌合凹み部３６ｋに嵌合して固定されるので、この組み立て時において、クリック感を与えてしっかり固定したことが確認することができる。
【００５４】
さらに、支持具３６の突起３６ａは閉時嵌合凹み部３６ｋの下方に開閉時乗越部３６ｈを備え、開閉時乗越部３６ｈの下方に開時嵌合凹み部３６ｇを設け、脚部３７が閉じた状態から脚部３７を開方向に回動すると、係止部３７ｃが閉時嵌合凹み部３６ｋから開閉時時乗越部３６ｈを乗り越えて開時嵌合凹み部３６ｇに嵌合して固定され、脚部３７が開いた状態から脚部３７を閉方向に回動すると、係止部３７ｃが開時嵌合凹み部３６ｇから開閉時時乗越部３６ｈを乗り越えて閉時嵌合凹み部３６ｋに嵌合して固定されるので、この調理時において、クリック感を与えてしっかり固定したことが確認することができる。
【符号の説明】
【００５５】
１５  被加熱物
１６  調理皿
２４  テーブルプレート
２８  加熱室
３４  皿部
３６  支持具
３６ａ  突起
３６ｂ  枠部
３６ｄ  底部
３６ｇ  開時嵌合凹み部
３６ｈ  開閉時時乗越部
３６ｋ  閉時嵌合凹み部
３６ｍ  組立時乗越部
３６ｐ  組立時通過凹み部
３６ｕ  軸受け部
３６ｗ  軸受け部
３７  脚部
３７ａ  回動軸部
３７ｃ  係止部
３７ｆ  連結部
【図１】
2015158316.tif 000003
【図２】
2015158316.tif 000004
【図３】
2015158316.tif 000005
【図４】
2015158316.tif 000006
【図５】
2015158316.tif 000007
【図６】
2015158316.tif 000008
【図７】
2015158316.tif 000009
【図８】
2015158316.tif 000010
【図９】
2015158316.tif 000011
【図１０】
2015158316.tif 000012
【図１１】
2015158316.tif 000013
【図１２】
2015158316.tif 000014
【図１３】
2015158316.tif 000015
【図１４】
2015158316.tif 000016
【図１５】
2015158316.tif 000017
【図１６】
2015158316.tif 000018